(57)【要約】  【課題】  河川の堤防などの植生護岸以外にも適用できる汎用性をもった生育促進剤入りの法面緑化に用いる芝生マット及び法面土壌面の緑化工法を提供すること。  【解決手段】  法面緑化に用いる芝生マットであって、芝生マット本体３に、スタフィロコッカス属に属する微生物および／またはブレビバクテリウム属に属する微生物を含む生育促進剤２０を有することを特徴とする。  【選択図】      図１
2005058168.tif 000002
【特許請求の範囲】
【請求項１】
法面緑化に用いる芝生マットであって、芝生マット本体に、スタフィロコッカス属に属する微生物および／またはブレビバクテリウム属に属する微生物を含む生育促進剤を含ませてあることを特徴とする生育促進剤入り芝生マット。
【請求項２】
前記芝生マット本体はネット材を備えており、このネット材を根茎に絡ませて一体化させてある請求項１に記載の生育促進剤入り芝生マット。
【請求項３】
前記芝生マット本体が、人工繊維を成形してなる厚さ１０〜１００ｍｍのマット状で且つ粒径０．０１〜５ｍｍの粒子を収容できる空隙を３０〜９９．７体積％有するものである請求項１または請求項２に記載の生育促進剤入り芝生マット。
【請求項４】
法面土壌面に張設された芝生マット本体上に、スタフィロコッカス属に属する微生物および／またはブレビバクテリウム属に属する微生物を含む生育促進剤あるいは当該生育促進剤を混合した目土を散布することを特徴とする土壌面の緑化工法。
【請求項５】
芝生マット本体を法面土壌面に張設する前に、法面土壌面の表面に、スタフィロコッカス属に属する微生物および／またはブレビバクテリウム属に属する微生物を含む生育促進剤あるいは当該生育促進剤を混合した客土を散布する請求項４に記載の土壌面の緑化工法。
【発明の詳細な説明】
【技術分野】
【０００１】
この発明は、生育促進剤入り芝生マット及び土壌面の緑化工法に関するものである。
【背景技術】
【０００２】
【特許文献１】特開２００１−００８５４７号公報
【０００３】
例えば河川の堤防などの法面に張設され、流水による法面の浸食防止、法面全体の均一な緑化植生による河川環境の保全を図ることを目的とした芝生マットが提案されている（前記特許文献１参照）。この芝生マットはネット材が一体化されて成り、芝の強い表層根がネット材に強固に根絡みした保形性の高いものであって、この芝生マットを法面などに敷き詰めてアンカー等によって止着すれば、芝がネット材に強固に根絡みしていることから、実質的に芝をネット材を介して法面などに強固に張り付けることができ、かつ、芝は時を経て法面などに強固に根張りされる。
【発明の開示】
【発明が解決しようとする課題】
【０００４】
しかし、河川の堤防などの植生護岸に限らず、植物を生育させるために適した土壌でない場所においても芝生マットによる法面全体の均一な緑化植生を行えることが望まれる。  
【０００５】
この発明は、上述の事柄に留意してなされたもので、その目的は、河川の堤防などの植生護岸以外にも適用できる汎用性をもった生育促進剤入りの法面緑化に用いる芝生マット及び法面土壌面の緑化工法を提供することである。
【課題を解決するための手段】
【０００６】
上記目的を達成するために、この発明の生育促進剤入り芝生マットは、法面緑化に用いる芝生マットであって、芝生マット本体に、スタフィロコッカス属に属する微生物および／またはブレビバクテリウム属に属する微生物を含む生育促進剤を含ませてあることを特徴とする（請求項１）。
この発明の生育促進剤入り芝生マットとして、芝生マット本体が、例えばネット材を備えており、このネット材を根茎に絡ませて一体化させてあるもの（請求項２）や、芝生マット本体が、例えば、人工繊維を成形してなる厚さ１０〜１００ｍｍのマット状で且つ粒径０．０１〜５ｍｍの粒子を収容できる空隙を３０〜９９．７体積％有するように成形されたもの（請求項３）を挙げることができる。
【０００７】
また、この発明は別の観点から、法面土壌面に張設された芝生マット本体上に、スタフィロコッカス属に属する微生物および／またはブレビバクテリウム属に属する微生物を含む生育促進剤あるいは当該生育促進剤を混合した目土を散布することを特徴とする土壌面の緑化工法を提供する（請求項４）。
用いる目土としては、現場で採取した土壌よりも、良質土を用いることが好ましい。そして、前記生育促進剤を混合した目土を、土壌面に張設された芝生マット本体上に、芝の上部がのぞく程度の厚さに散布するのが好ましい。
【０００８】
この発明の土壌面の緑化工法は、芝生マット本体を法面土壌面に張設する前に、法面土壌面の表面に、前記生育促進剤あるいは前記生育促進剤を混合した客土を散布する場合も含む（請求項５）。
【０００９】
この発明において、前記生育促進剤の対象となる植物は、例えば芝である。前記芝とは、葉の部分のみではなく、その葡萄茎（ランナー）や根も含めた植物体全体を表す。
【００１０】
この発明におけるスタフィロコッカス属に属する微生物および／またはブレビバクテリウム属に属する微生物を含む生育促進剤とは以下のものを意味する。        
【００１１】
前記生育促進剤は、スタフィロコッカス（Ｓｔａｐｈｙｌｏｃｏｃｃｕｓ）属に属する微生物およびブレビバクテリウム（Ｂｒｅｖｉｂａｃｔｅｒｉｕｍ）属に属する微生物からなる群から選んだ微生物を少なくとも１種類含むものであり、スタフィロコッカス属に属する微生物のみを１種類以上含んでいてもよく、ブレビバクテリウム属に属する微生物のみを１種類以上含んでいてもよく、スタフィロコッカス属に属する微生物１種類以上とブレビバクテリウム属に属する微生物１種類以上とを同時に含んでいてもよい。  
【００１２】
前記生育促進剤に用いることのできるスタフィロコッカス属に属する微生物は、植物の生育促進作用を示す微生物（特には、植物の生育不適土壌においても植物の生育促進作用を示す微生物）である限り、特に限定されるものではないが、例えば、スタフィロコッカス・レンツス（Ｓｔａｐｈｙｌｏｃｏｃｃｕｓ  ｌｅｎｔｕｓ）（例えば、ＡＴＣＣ  ４９５７４又はＡＴＣＣ  ２９０７０）を挙げることができる。  
【００１３】
前記生育促進剤に用いることのできるブレビバクテリウム属に属する微生物は、植物の生育促進作用を示す微生物（特には、植物の生育不適土壌においても植物の生育促進作用を示す微生物）である限り、特に限定されるものではないが、例えば、ブレビバクテリウム・エピデルミディス（Ｂｒｅｖｉｂａｃｔｅｒｉｕｍ  ｅｐｉｄｅｒｍｉｄｉｓ）（例えば、ＡＴＣＣ  ３５５１４又はＡＴＣＣ４９０８９）を挙げることができる。
【００１４】
前記生育促進剤は、芝の生育促進作用の点で、スタフィロコッカス属に属する微生物１種類以上とブレビバクテリウム属に属する微生物１種類以上とを同時に含むことが好ましく、スタフィロコッカス・レンツスとブレビバクテリウム・エピデルミディスとを同時に含むことが特に好ましい。                              
【００１５】
前記生育促進剤に含有されるスタフィロコッカス属に属する微生物又はブレビバクテリウム属に属する微生物の状態は、生育促進剤が使用される環境で増殖可能である限り、特に限定されるものではなく、例えば、培養物（すなわち、菌体と培地（例えば、液体培地又は固体培地）との混合物）の状態であることもできるし、あるいは、前記培養物から公知の分離方法（例えば、遠心分離又は濾過）により培地を完全除去又は部分除去した菌体の状態であることもできる。            
【００１６】
前記生育促進剤に含有されるスタフィロコッカス属に属する微生物および／またはブレビバクテリウム属に属する微生物の量は、前記生育促進剤を土壌に供給した際に植物生育促進作用を示す量である限り、特に限定されるものではないが、例えば、１ｃｍ3 の生育促進剤１当たり１×１０〜１×１０8 個とすることが望ましい。  
【００１７】
前記生育促進剤は、スタフィロコッカス属に属する微生物およびブレビバクテリウム属に属する微生物以外の土壌細菌群をさらに含んでいてもよい。また、前記生育促進剤は、スタフィロコッカス属に属する微生物および／またはブレビバクテリウム属に属する微生物と、例えば、肥料（例えば、窒素肥料、リン酸肥料、若しくはカリ肥料、または混合肥料など）、植物ホルモン、アミノ酸、糖類や、上記以外の公知の植物生育促進剤などのうち、いずれか一つまたは複数とを混合したものであってもよい。
【００１８】
前記生育促進剤は、例えば、微生物を含有する公知の植物生育促進剤と同様の公知調製方法により調製することができる。例えば、種菌を培養した後、得られた種培養液を大容量の液体培地で培養して大量の目的微生物を得るのであり、さらに、これらの微生物と有機物（例えば、農産物、農産廃棄物、畜産排泄物など）とを混合した後、約１５〜３５℃で約３０〜１８０日間発酵および熟成することによって、前記生育促進剤を調製することができる。                            
【００１９】
この発明の土壌面の緑化工法は、例えば、強酸性土壌法面、強アルカリ性土壌法面、乾燥や塩害にあいやすい土壌面のいずれかに適用されるのが好ましい。  
【００２０】
前記強酸性土壌法面としては、例えば、海成粘土や鉱山地付近の切土法面などが挙げられる。                    
【００２１】
また、前記強アルカリ性土壌法面としては、石灰やセメントを処理した処理土壌法面や石灰質土壌法面などが挙げられる。                                      
【００２２】
更に、前記塩害にあいやすい土壌面としては、例えば以下のものが挙げられる。
（１）港湾緑地整備の一環として行われる埋め立て地の法面。                      
（２）高速道路等の中央分離帯に設けた土壌面。すなわち、山間部や寒冷地の高速道路等の中央分離帯では、塩化マグネシウムや塩化ナトリウム等の融雪剤を使用するので、塩害にあっている土壌面の緑化が望まれる。                          
（３）湖岸緑化の対象となる土壌面。                                            
【００２３】
また、前記乾燥にあいやすい土壌面としては、例えばグラススキー場を挙げることができる。しかも、このグラススキー場は、踏圧によって通常は芝の生育が難しい。
【００２４】
更に、前記土壌面として、例えば山間地の道路法面や砂防・治山現場のような管理が期待できない芝地帯の土壌面を挙げることができる。そして、これら土壌面に張設された芝生マット本体上に前記生育促進剤あるいは前記生育促進剤を混合した目土を散布することにより、芝が生育し難い土壌面であっても、芝の根がこれらの土壌面土壌中に伸長し、健全な生育を示したことを本発明者らは確認した。
【発明の効果】
【００２５】
この発明の生育促進剤入り芝生マット（請求項１）は、法面緑化に用いる芝生マットであって、芝生マット本体に、スタフィロコッカス属に属する微生物および／またはブレビバクテリウム属に属する微生物を含む生育促進剤を含ませてあり、この生育促進剤によって、芝の生育促進作用が施されるので、植物の生育に適さない土壌であっても均一な植生が行える。  
【００２６】
また、この発明の生育促進剤入りの前記芝生マット（請求項２）では、前記生育促進剤によって、芝の生育促進作用が施されるので、植物の生育に適さない土壌であっても均一な植生が行えるとともに、芝生マット本体に備わっているネット材を芝の根茎に絡ませて一体化させてあるので、当該芝生マットが大型化しても前記ネット材により例えば芝のランナーを保護でき、施工・運搬に支障をきたさない。
【００２７】
更に、この発明の生育促進剤入りの前記芝生マット（請求項３）では、前記生育促進剤によって植物の生育に適さない土壌であっても均一な植生が行える上に、人工繊維を成形してなる厚さ１０〜１００ｍｍのマット状で且つ粒径０．０１〜５ｍｍの粒子を収容できる空隙を３０〜９９．７体積％有する芝生マット本体により例えば芝のランナーをより一層保護することができる。
【００２８】
また、この発明の土壌面の緑化工法（請求項４）では、法面土壌面に張設された芝生マット上に、スタフィロコッカス属に属する微生物および／またはブレビバクテリウム属に属する微生物を含む生育促進剤あるいは当該生育促進剤を混合した目土を散布する。そのため、前記生育促進剤によって、芝の生育が促進されるので、植物の生育に適さない土壌であっても均一な植生が行える。  
【００２９】
また、この発明の土壌面の緑化工法（請求項５）では、芝生マットを法面土壌面に張設する前に、法面土壌面の表面に、スタフィロコッカス属に属する微生物および／またはブレビバクテリウム属に属する微生物を含む生育促進剤あるいは当該生育促進剤を混合した客土を散布する。この場合にも、前記生育促進剤によって、芝の生育が促進されるので、植物の生育に適さない土壌であっても均一な植生が行える。  
【００３０】
従って、河川の堤防などの植生護岸以外にも適用できる汎用性をもった生育促進剤入り芝生マット及び土壌面の緑化工法を提供することができる効果がある。  
【発明を実施するための最良の形態】
【００３１】
以下にこの発明の実施形態について説明する。なお、それによって、この発明は限定されるものではない。
【００３２】
図１〜図３は、芝生マット本体に備わっているネット材を芝の根茎に絡ませて一体化させてある芝生マットに、スタフィロコッカス属に属する微生物および／またはブレビバクテリウム属に属する微生物を含む生育促進剤を混合した目土を散布してなるこの発明の第１の実施形態を示す。    
【００３３】
図１、図２において、生育促進剤入り芝生マット１は、芝生マット本体３と、この芝生マット本体３上に散布された、生育促進剤２０を混合した目土２２より構成される。前記芝生マット本体３は、可撓性を有するネット材２、芝５および基盤材６よりなる。前記芝５は、植物体全体を表し、葡萄茎（ランナー）５ａと、この葡萄茎５ａから伸長した根５ｂおよび葉５ｃよりなる。また、前記生育促進剤２０は、スタフィロコッカス属に属する微生物および／またはブレビバクテリウム属に属する微生物を含む生育促進剤である。図２には、生育促進剤収容容器２１から出された生育促進剤２０が示されている。この実施形態では生育促進剤２０は粉体である。  
【００３４】
更に、前記可撓性ネット材２は、耐久性に富む繊維、例えばナイロンやポリエステル、アラミド、カーボン、ガラス、ポリアセタール等の繊維を用いて、目合い２〜１５ｍｍの格子状に成型したものであるが、上記の繊維による線条を用いて、上記と同様の目合いの網状体に編組したものにしてもよく、これら両者を重ね合わせてもよいのであって、幅１ｍ当たりの引っ張り強度を、１．０〜７．０トン程度としている。    
なお、この実施形態ではネット材２を備えた芝生マット本体３を用いているが、この発明では、人工繊維を成形してなる厚さ１０〜１００ｍｍのマット状で且つ粒径０．０１〜５ｍｍの粒子を収容できる空隙を３０〜９９．７体積％有する芝生マット本体を用いてもよい。
【００３５】
前記目土２２が散布される芝生マット本体３は以下のようにして得ることができる。
すなわち、図３（Ａ）に示す可撓性を有するネット材２を圃場４内の生育基盤土壌４ａ上に敷設し、このネット材２の上に葡萄茎（ランナー）５ａを撒き出し、更に、図３（Ｂ）に示すように、基盤材６を覆土する。この基盤材６として、圃場現場で採取した土壌を用いてもよく、あるいは、圃場現場で採取した土壌よりも、良質土を用いてもよい。そして、撒き出した葡萄茎（ランナー）５ａはネット材２上を這うように生育していき根５ｂおよび葉５ｃは葡萄茎（ランナー）５ａから伸長し、図３（Ｃ）に示すように、根５ｂがネット材２に絡まって、芝５が育成する。この段階で、図３（Ｄ）に示すように、ネット材２に絡まった根５ｂのうち、ネット材２の下側に伸びた根１００の部分をカッター１０１等の切断具で切断しつつ、このネット材２を圃場４から剥がし取ることで、可撓性のネット材２を根茎に絡ませて一体化させた芝生マット本体３を得ることができる〔図３（Ｅ）参照〕。そして、この芝生マット本体３上に、図１、図２に示すように、生育促進剤２０を混合した目土２２を散布することにより、生育促進剤入りの法面緑化に用いる芝生マット１を得ることができる。この芝生マット本体３は、例えば、幅１０００ｍｍ、長さ２０００ｍｍの矩形状のものであって、例えば河川法面に張設されて緑化が行われる。
なお、ネット材２の周辺部に角材７などを配置して、芝生マット本体３が得られた段階で、この角材７などを取り外すことで、芝生マット本体３の幅方向両側に、例えば５０ｍｍ幅のネット部分２ａ，２ｂを張り出させ、ネット材２の長手方向一方には、例えば２５０ｍｍ幅のネット部分２ｃを張り出させ、更に、ネット材２の長手方向他方には、例えば５０ｍｍ幅のネット部分２ｄを張り出させている。
また、図３（Ｂ）、図３（Ｃ）、図３（Ｄ）における７ａは、圃場４に施された基盤材６を囲うための角材で、カッター１０１切断前に取り除かれる。また、上記の角材７などの配置を省略して、芝生マット本体３の周辺部を崩し取り、上記のように、芝生マット本体３の周辺部にネット部分２ａ〜２ｄを張り出させるようにしてもよい。
また、上記の張り出しネット部分２ａ〜２ｄの各端部に、ネット連結時の目ずれ防止のために、２〜５ｃｍ程度の幅で網目を密にした部分を形成しておくことが有効である。
【００３６】
以下、生育促進剤入り芝生マット１を用いた土壌面の緑化工法について説明する。
図４、図５は、芝生マット本体を河川法面（土壌面の一例）に張設して緑化を行うにあたり、河川法面に張設された芝生マット本体３上に、スタフィロコッカス属に属する微生物および／またはブレビバクテリウム属に属する微生物を含む生育促進剤を混合した目土を散布するようにしたこの発明の第２の実施形態を示す。なお、この実施形態では、強酸性土壌あるいは強アルカリ性土壌よりなる河川法面Ｎの植生護岸例について説明する。
【００３７】
芝生マット本体３を河川法面Ｎ上に張設するまでの動作について説明する。この植生護岸は、平水位以上の護岸に適用されるものであって、平水位以下には木柵、寄せ石、カゴマットなどの根固め工法を使用している。すなわち、図４、図５に示すように、法尻の湛水域又はかなりの期間湛水する部分を適宜掘削して、この掘削部に、例えばカゴマット２８の張り工法を実施（その他、木柵、寄せ石、捨て石やフトンカゴの敷設も好適である。）する。  
【００３８】
この際、カゴマット２８の下側に、上記のネット材２と同様のネット材２９を適宜の幅にわたって敷き込んで、その上辺部２９ａを、カゴマット２８の上部の法面Ｎ側（護岸域側）に突出させておく。一方、想定される増水時の最高水位付近、好ましくは図示するように、最高水位Ｈよりもやゝ上部側の護岸域にも、上記のネット材２と同様のネット材３０を、その一部を突出させて埋設しておく。      
【００３９】
更に、上下のネット材３０，２９にわたって護岸域内に、増水時の流速を勘案して例えば１０ｍ〜３０ｍの間隔で、かつ、一部を下流側に向けて突出させるように、上記のネット材２と同様のネット材３１を埋設しておくのであり、かつ、必要に応じて、これらのネット材３０，３１をアンカー３２止めしておく。          
【００４０】
そして、図４に示すように、例えばネット材２の長手方向一方のネット部分２ｃにフック部材３３を引っかけて、クレーン３４などを利用して、芝生マット本体３を、例えば護岸域の下流側から上流側に向けて且つ護岸域の下部側から上部側に向けて法面Ｎに張設するのである。    
【００４１】
この時、護岸域下部側の芝生マット本体３については、カゴマット２８の下側に敷き込んで突出させたネット材２９の上辺部２９ａに、ネット材２の他方のネット部分２ｄを上方から重ね合わせて、この両者２ｄ，２９ａにアンカー３５を打設するのであり、上下の芝生マット本体３，３については、下部側の芝生マット本体３の上部側ネット部分２ｃに、上部側の植生マット１の下部側ネット部分２ｄを上方から重ね合わせて、この両者２ｄ，２ｃにアンカー３５を打設するのである。          
【００４２】
そして、護岸域上部側の芝生マット本体３については、それの上部側ネット部分２ｃを、ネット材３０の突出辺部３０ａに上方から重ね合わせて、この両者２ｃ，３０ａにアンカー３５を打設するのであるが、この際、芝生マット本体３の長さ寸法の関係で、芝生マット本体３の上端が突出辺部３０ａを越えることがあり、この場合は、突出辺部３０ａへの重なり部分にアンカー３５を打設すればよく、或いは、ネット材２を切断して、芝生マット本体３の長さ寸法を調整し、両者２ｃ，３０ａを重ね合わせるようにしてもよいのである。    
【００４３】
一方、護岸域の下流側から上流側に向けて張設される芝生マット本体３については、下流側の芝生マット本体３の上流側ネット部分２ｂに、上流側の芝生マット本体３の下流側ネット部分２ａを重ね合わせて、この両者２ａ，２ｂアンカー３５を打設するのであり、かつ、ネット材１１に対しては、芝生マット本体３の上流側ネット部分２ｂを重ね合わせて、この両者２ｂ，３１をコイル線材やステイプルなどの連結手段によって連結して、この重ね合わせ部に、上流側の芝生マット本体３の下流側ネット部分２ａを重ね合わせ、これら三者２ａ，２ｂ，３１にアンカー３５を打設するのである。  
【００４４】
この際、芝生マット本体３の幅寸法の関係で、芝生マット本体３がネット材３１をはみ出すことがあるが、この場合は、前記連結手段による連結を止めて、ネット材１１への重なり部分にアンカー３５を打設すればよく、或いは、ネット材２を切断して、植生マット１の幅寸法を調整し、両者２ｂ，３１を前記連結手段によって連結した上で、三者２ａ，２ｂ，３１にアンカー３５を打設してもよいのである。  
【００４５】
そして、上下ならびに左右方向で隣り合う芝生マット本体３，３の夫々の重ね合わせ部と、護岸域上部側の芝生マット本体３とネット材３０との重ね合わせ部とについては、これらのネット材２，３０を、予め護岸域に埋設した接続金具３７に係止させるのであり、かつ、生育促進剤２０を混合した目土２２を芝生マット本体３上に、芝の上部がのぞく程度の厚さに散布されるのである。
【００４６】
なお、ネット材３０の埋設域よりも上方の護岸域に、ネット材２を一体化させていない芝生マット本体３９を張設しているが、この芝生マット本体３９に代えて、上記構成の芝生マット本体３を張設してもよいことは言うまでもない。                      
【００４７】
このように、芝５の強い表層根がネット材２に強固に根絡みした保形性の高い芝生マット本体３を河川法面Ｎに張設して緑化を行うとともに、芝生マット本体３の隣り合うネット材２を重ね合わせて、アンカー３５などで法面Ｎに固定することから、実質的に四側辺が互いに連結された芝生マット本体３を、ネット材２を介して法面Ｎに強固に張り付けることができるのであり、そして、芝生マット本体３は時を経て法面Ｎに強固に根張りすることになる。  
【００４８】
また、河川法面Ｎに張設された芝生マット本体３上に前記生育促進剤２０を混合した目土２２を散布することにより、河川法面Ｎの土壌が、芝が生育し難い強酸性土壌あるいは強アルカリ性土壌であっても、芝の根がこれらの土壌面土壌中に伸長し、健全な生育を示す。  
【００４９】
従って、芝生マット１の施工直後に河川が増水したとしても、芝生マット１は、流水によって簡単に崩れたり剥がれたりしないのであって、施工直後から高い親水護岸の機能を発揮するのであり、流水による法面Ｎの浸食も効果的に防止されるとともに、芝が生育し難い強酸性土壌あるいは強アルカリ性土壌であっても、河川法面Ｎ全体の均一な緑化植生を期することができて、河川法面Ｎの植生護岸が景観上優れたものとなる。
【００５０】
なお、この実施形態では、河川法面Ｎに張設された芝生マット本体３上に前記生育促進剤２０を混合した目土２２を散布したものを示したが、これに加えて、芝生マット本体３を張設する前の河川法面Ｎの表面に、前記生育促進剤２０あるいは前記生育促進剤２０を混合した客土２２を散布しておいてもよい。                      
【００５１】
また、図３で示した芝生マット本体３の養生期間中において、図３（Ｂ）に示す基盤材６を覆土する工程で、基盤材６に前記生育促進剤２０を混合してもよい。
【００５２】
また、この発明では、図６や図７に示すように、前記実施形態で用いた養生工程とは異なる養生工程を経て得られる芝生マット本体３を用いてもよい。  
【００５３】
図６は、この発明の第３の実施形態を示す。図６において、可撓性を有するネット材２を圃場４に敷設し、このネット材２の上に、別途圃場で生育させた芝５’を敷き詰め、この芝５’の根がネット材２に絡まった段階で、ネット材２を圃場４から剥がし取る。なお、別途圃場で生育させる芝５’に、前記生育促進剤２０を含ませておき、この生育促進剤入りの芝生マットを圃場４に敷設されたネット材２の上に敷き詰めてもよい。
【００５４】
この養生工程によれば、予め生育させた芝５’を用いることから、芝のランナー５を生育させる方法に比較して、その生育期間の分、芝生マット本体３の製造時間を短縮することができるのである。                          
【００５５】
この芝生マット本体３の養生工程ならびに図３に示した芝生マット本体３の養生工程において、圃場に敷設するネット材２の下側に、芝の根の通過を防止する例えばビニールシートなどを敷設しておけば、芝生マット本体３の圃場からの取り外しが容易となり、更に、ネット材２とビニールシートなどとの間に、例えば５〜１０ｍｍ程度の土砂または軽量な人工土壌（例えばピートモスやバーミキュライト、パーライト等）を介在させることも好適であって、こうすると芝生マット本体３の重量を軽減することができて、芝生マット本体３の取り扱いが容易となり、加えて、施工効率も向上することができる。
【００５６】
また、図７は、この発明の第４の実施形態を示す。図７において、圃場４に敷設される予定の可撓性を有するネット材２を、適宜たとえば作業台上に展開させて、この上に別途圃場で生育させた芝５’を配置し、この両者２，５’をステイプル等による結束や、その他、縫製などの連結手段１２０によって一体化させることによっても、芝生マット本体３を得ることができる。なお、別途圃場で生育させる前記芝５’に前記生育促進剤２０を含ませておき、この生育促進剤入りの芝生マットを圃場４に敷設されたネット材２の上に敷き詰めてもよい。
【００５７】
この場合、ネット材２には前記芝５’の根が絡まってはいないものの、この両者２，５’が連結手段１２０によって一体化されていることから、植生護岸に際して、ネット材２の重ね合わせ部にアンカーを打設することで、実質的に芝生マット本体３を、ネット材２を介して法面に強固に張り付けることができるのであり、やがては時を経て、前記芝５’の根がネット材２に絡みつつ、法面に根張りするのであって、この製造方法によれば、予め生育させた前記芝５’を用いることに加えて、前記芝５’のネット材２への根絡みを待つ必要がないことから、その時間分、芝生マット本体３の製造時間を更に短縮することができるのである。        
【００５８】
そして、例えば河川の増水時には、流水によって芝生マット本体３が簡単に剥がれて流失してしまい、護岸機能を早期に失って、流水による河川法面Ｎの浸食が起こり易い等の問題を回避するために、河川法面Ｎに芝生マット本体３を張り付けた段階で、この芝生マット本体３をアンカーなどで河川法面Ｎに止着することが好ましい。そして、この発明では、例えば河川法面Ｎに張設された芝生マット本体３に、スタフィロコッカス属に属する微生物および／またはブレビバクテリウム属に属する微生物を含む生育促進剤２０を混合した目土２２を散布するのである。  
【００５９】
図８〜図１０は、この発明で用いた前記生育促進剤のノシバに対する評価を示す実験例である。ここでは、生育基盤土壌として山砂を２００ｍｍ客土し、この生育基盤上にノシバを張り芝により造成し、張り芝後、前記生育促進剤（１リットル／ｍ2 ）を生育基盤土壌と同等の山砂に混合して目土とし、これを表層散布している〔図８（Ａ）、図９（Ａ）、図１０（正面向かって右側）〕。
なお、比較例として、前記生育促進剤に代えて公知の土壌改良材（例えばバーク堆肥）を１リットル／ｍ2 の量で用いて、同様にノシバを張り芝により造成したものを示す〔図８（Ｂ）、図９（Ｂ）、図１０（正面向かって左側）〕。
すなわち、図８（Ａ）は、張り芝後、７０日経過した時点における、前記生育促進剤を散布したノシバの地上部の状態を示し、これに対して、図８（Ｂ）は、張り芝後、７０日経過した時点における、バーク堆肥を散布したノシバの地上部の状態を示す。また、図９（Ａ）は、張り芝後、７０日経過した時点における、前記生育促進剤を散布したノシバの芝生密度の状態を示し、図９（Ｂ）は、張り芝後、７０日経過した時点における、バーク堆肥を散布したノシバの芝生密度の状態を示す。更に、図１０は、張り芝後、７０日経過した時点における、バーク堆肥を散布したノシバ（正面向かって左側）の根と、張り芝後、７０日経過した時点における、前記生育促進剤を散布したノシバ（正面向かって右側）の根の生育を、内径１０５ｍｍのホールカッターで抜き取り比較した状態を示す。
【００６０】
【表１】
2005058168.tif 000003
【００６１】
そして、上記表１および図８（Ａ）、図９（Ａ）、図１０（正面向かって右側）に示された結果と図８（Ｂ）、図９（Ｂ）、図１０（正面向かって左側）に示された結果とから明らかなように、前記生育促進剤を用いた方が、上記比較例よりも茎葉密度が大であるとともに、最大根長も大であることが分かる。
【図面の簡単な説明】
【００６２】
【図１】この発明の第１の実施形態を示す斜視図である。
【図２】上記実施形態における施工手順を示す要部斜視図である。
【図３】上記実施形態で用いる芝生マット本体の養生工程を示す図である。
【図４】この発明の第２の実施形態における施工状態を示す全体斜視図である。
【図５】上記第２の実施形態における施工状態を示す構成説明図である。
【図６】この発明の第３の実施形態で用いる芝生マット本体の養生工程を示す図である。
【図７】この発明の第４の実施形態で用いる芝生マット本体の養生工程を示す図である。
【図８】（Ａ）は、張り芝後、７０日経過した時点における、前記生育促進剤を散布したノシバの地上部の状態を示す、図面に代わる写真である。（Ｂ）は、張り芝後、７０日経過した時点における、バーク堆肥を散布したノシバの地上部の状態を示す、図面に代わる写真である。
【図９】（Ａ）は、張り芝後、７０日経過した時点における、前記生育促進剤を散布したノシバの芝生密度の状態を示す、図面に代わる写真である。（Ｂ）は、張り芝後、７０日経過した時点における、バーク堆肥を散布したノシバの芝生密度の状態を示す、図面に代わる写真である。
【図１０】張り芝後、７０日経過した時点における、バーク堆肥を散布したノシバの根、および、張り芝後、７０日経過した時点における、生育促進剤を散布したノシバの根の生育を、内径１０５ｍｍのホールカッターで抜き取り比較した状態をそれぞれ示す、図面に代わる写真である。
【符号の説明】
【００６３】
１  芝生マット
２  ネット材
３  芝生マット本体
２０  生育促進剤
２２  目土
Ｎ  土壌面
【図１】
2005058168.tif 000004
【図２】
2005058168.tif 000005
【図３】
2005058168.tif 000006
【図４】
2005058168.tif 000007
【図５】
2005058168.tif 000008
【図６】
2005058168.tif 000009
【図７】
2005058168.tif 000010
【図８】
2005058168.tif 000011
【図９】
2005058168.tif 000012
【図１０】
2005058168.tif 000013